【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
１つ以上のカラー画像箇所の色値を測定かつ制御するカラー制御プロセスであって、
前記カラー画像箇所が複数のインクゾーンにおいて平面の基体上に印刷され、
さらに、前記複数のインクゾーンが前記基体の幅にわたり延在し、前記カラー画像箇所が１色以上のカラーを持ち、かつ、該カラーの各々が純色値を持つ、カラー制御プロセスにおいて、
（ａ）１つ以上のカラー画像箇所を提供するステップであって、このカラー画像箇所が複数のインクゾーンにおいて所定量のインクを使用することで平面の基体上で印刷され、前記複数のインクゾーンが基体の幅にわたり延在し、カラー画像箇所の各々が１色以上のカラーを備えており、かつ、該カラー各々が純色値を持つステップと、
（ｂ）前記カラー各々に関してデジタル形態で純色値情報を備えるメモリを提供するステップと、
（ｃ）前記１つ以上のカラー画像箇所のピクセル化されたデジタル表現を提供するステップであって、該ピクセル化されたデジタル表現が前記インクゾーンの各々に対応する複数のデジタルパスに分割され、さらに該デジタルパスの各々が複数のデジタルゾーンを備え、及び、前記ピクセル化されたデジタル表現がさらに１つ以上のカラーレイヤに分割され、該カラーレイヤのそれぞれが前記１色以上のカラーのうち１色に対応しており、並びに、前記ピクセル化されたデジタル表現が目標色値を持ち、該目標色値が前記基体上の各インクゾーン内の各カラーのための前記１つ以上のカラー画像箇所を再生するために要求されたインク量に対応するようにされたステップと、
（ｄ）前記デジタルパスの各パス内の前記カラーレイヤの各レイヤを解析し、前記デジタルパス内の各カラー内のための最大ピクセル群区域を決定するステップであって、
該最大ピクセル群区域が位置座標を持ち、かつ、目標色値を持つデジタルパス内のカラー画像箇所内にロケーションを備えており、該目標色値はそのデジタルパス内でその対応するカラーのための純色値に最も近い目標色値であり、前記最大ピクセル群区域の位置座標と前記メモリにある該色値とを格納するステップと、
（ｅ）前記最大ピクセル群区域の前記目標色値と、各カラーに関する対応する純色値とを比較して、差を算出し、前記差を前記メモリの中に格納するステップと、
（ｆ）前記１つ以上のカラー画像箇所のデジタル表現をキャプチャすることができる少なくとも１つのイメージングアセンブリを提供するステップと、
（ｇ）前記平面の基体にわたる前記イメージングアセンブリの位置付け及び直線的な動きを制御するステップと、
（ｈ）前記イメージングアセンブリを使用して、前記インクゾーンの少なくとも１つのゾーン内の前記カラーの少なくとも１つのカラーに関する最大ピクセル群区域位置において、前記基体上の前記１つ以上のカラー画像箇所の１つ以上のデジタル画像を選択し獲得して、前記インクゾーンの前記少なくとも１つのゾーン内の前記少なくとも１つのカラーに関する実際の色値を有する、前記最大ピクセル群区域における前記基体のデジタル画像を作成するステップと、
（ｉ）前記最大ピクセル群区域における前記基体の前記デジタル画像を解析して、前記少なくとも１つのカラーに関する前記実際の色値を測定するステップと、
（ｊ）前記実際の色値と前記純色値とを比較して、差を算出し、前記差を前記メモリの中に格納するステップと、
（ｋ）付加的に、前記対応するインクゾーン内の前記基体上のインク量を調整して、前記実際の色値と前記純色値との前記差が、（ｅ）で算出された、前記目標色値と前記純色値との前記差と等しいようにするステップと、を備えるカラー制御プロセス。
【請求項２】
１つ以上のカラー画像箇所の色値を測定し制御するカラー制御プロセスであって、
前記画像箇所が複数のインクゾーンにおいて平面の基体上に印刷され、
前記複数のインクゾーンは前記基体の幅にわたり延在し、かつ、前記カラーづけされる画像箇所が１色以上のカラーを備えており、カラーはそれぞれが純色値を持つようにされているカラー制御プロセスにおいて、
（ａ）１つ以上のカラー画像箇所を提供するステップであって、このカラー画像箇所は複数のインクゾーンにおいて所定量のインクを使用することで平面の基体上で印刷され、該複数のインクゾーンは基体の幅をわたり延在し、各カラー画像箇所が１色以上のカラーを備え、各カラーが純色値を持つステップと、
（ｂ）各カラーに関して純色値情報をデジタル形態で含むメモリを提供するステップと、
（ｃ）複数のデジタルゾーンを各々が含む、前記インクゾーンの各ゾーンに対応する複数のデジタルパスに分割され、かつ、前記１色以上のカラーの１つに各々が対応する１つ以上のカラーレイヤにさらに分割される、前記１つ以上のカラー画像箇所のピクセル化されたデジタル表現であって、前記基体上の各インクゾーン内の各カラーに関する前記１つ以上のカラー画像箇所を再現するのに要求されるインク量に対応する目標色値を備えるデジタル表現を提供するステップと、
（ｄ）前記デジタルパスの各パス内の前記カラーレイヤの各レイヤを解析して、前記デジタルパスの各パス内の各カラーに関する最大ピクセル群区域であって、位置座標を有し、デジタルパス内の対応するカラーに関する純色値に最も近い目標色値である目標色値を有する、デジタルパスのデジタルゾーン内におけるカラー画像箇所内の位置を備える区域を特定し、前記最大ピクセル群区域位置座標、および前記座標の色値を前記メモリの中に格納するステップと、
（ｅ）前記インクゾーンの１つ以上のゾーン内のインク量を増やすこと、または減らすことにより、前記平面の基体上に印刷される１つ以上のカラー画像箇所を変更し、前記変更された１つ以上のカラー画像箇所は、変更された目標色値を有するステップと、
（ｆ）スキャナを使用して、各最大ピクセル群区域位置において前記基体を走査して、前記最大ピクセル群区域の各区域に関する変更された目標色値を算出し、各最大ピクセル群区域に関する前記変更された目標色値を前記メモリの中に格納するステップと、
（ｇ）各最大ピクセル群区域の前記変更された目標色値と、各カラーに関する対応する純色値とを比較して、差を算出し、前記差を前記メモリの中に格納するステップと、
（ｈ）前記１つ以上のカラー画像箇所のデジタル表現をキャプチャすることができる少なくとも１つのイメージングアセンブリを提供するステップと、
（ｉ）前記平面の基体にわたる前記イメージングアセンブリの位置付け及び直線的な動きを制御するステップと、
（ｊ）前記イメージングアセンブリを使用して、前記インクゾーンの少なくとも１つのゾーン内の前記カラーの少なくとも１つのカラーに関する最大ピクセル群区域位置において、前記基体上の前記１つ以上のカラー画像箇所の１つ以上のデジタル画像を選択し獲得して、前記インクゾーンの前記少なくとも１つのゾーン内の前記少なくとも１つのカラーに関する実際の色値を有する、前記最大ピクセル群区域のデジタル画像を作成するステップと、
（ｋ）前記最大ピクセル群区域の前記デジタル画像を解析して、前記少なくとも１つのカラーに関する前記実際の色値を測定するステップと、
（ｌ）前記実際の色値と前記純色値とを比較して、差を算出し、該差を前記メモリの中に格納するステップと、および
（ｍ）付加的に、前記対応するインクゾーン内の前記基体上のインク量を調整して、前記実際の色値と前記純色値との前記差が、（ｇ）で算出された、前記変更された目標色値と前記純色値との前記差と等しいようにするステップと、を備えるカラー制御プロセス。
【請求項３】
マルチカラー印刷機内の複数のインク施与ユニットから、前記印刷機の中に送られる、巻取り紙形態または枚葉紙形態である平面な基体上に供給されるインクの量を制御するためのカラー制御プロセスであって、
前記基体は前記インク施与ユニットから基体上に印刷される１つ以上のカラー画像箇所を持ち、該画像箇所は複数のインクゾーン内で前記基体の幅にわたり印刷され、各カラー画像箇所は１色以上のカラーを有し、
当該システムは、カラーバーが存在して、またはカラーバーが存在せずに機能することができ、
（ａ）平面の基体上に、前記基体の幅にわたって延在する複数のインクゾーンの中に、所定のインク量で印刷される、純色値を各々が有する１色以上のカラーを各々が含む１つ以上のカラー画像箇所を提供するステップと、
（ｂ）各カラーに関してデジタル形態で純色値情報を含むメモリを提供するステップと、
（ｃ）複数のデジタルゾーンの各々が含む、前記インクゾーンの各ゾーンに対応する複数のデジタルパスに分割され、前記１色以上のカラーの１つに各々が対応する１つ以上のカラーレイヤにさらに分割される、前記１つ以上のカラー画像箇所のピクセル化されたデジタル表現であって、基体上のインクゾーン内のカラーの各々に関する１つ以上のカラー画像箇所を再現するのに要求されるインク量に対応する目標色値を備えるデジタル表現を提供するステップと、
（ｄ）各インクゾーン内に少なくとも１つが印刷され、１つ以上のカラーレイヤを各々が含む複数のカラーパッチを備えるカラーバーが存在するかどうかを判定するステップと、
（ｅ）カラーバーが存在しない場合、ステップ（Ｉ）を行い、カラーバーが存在する場合、以下のステップ（Ｉ）又はステップ（ＩＩ）を行うこと、すなわち、
（Ｉ）（ｆ）前記デジタルパスの各パス内の前記カラーレイヤの各レイヤを解析して、前記デジタルパスの各パス内の各カラーに関する最大ピクセル群区域でおいて、位置座標を有し、デジタルパス内の対応するカラーに関する純色値に最も近い目標色値である目標色値を有する、デジタルパスのデジタルゾーン内におけるカラー画像箇所内の位置を備える区域を特定し、前記最大ピクセル群区域位置座標、および前記座標の色値を前記メモリの中に格納するステップと、
（ｇ）前記最大ピクセル群区域の前記目標色値と、各カラーに関する対応する純色値とを比較して、差を算出し、前記差を前記メモリの中に格納するステップと、
（ｈ）前記１つ以上のカラー画像箇所のデジタル表現をキャプチャすることができる少なくとも１つのイメージングアセンブリを提供するステップと、
（ｉ）前記平面の基体にわたる前記イメージングアセンブリの位置付け、および直線的な動きを制御するステップと、
（ｊ）前記イメージングアセンブリを使用して、前記インクゾーンの少なくとも１つのゾーン内の前記カラーの少なくとも１つのカラーに関する最大ピクセル群区域位置において、前記基体上の前記１つ以上のカラー画像箇所の１つ以上のデジタル画像を選択し、獲得して、前記インクゾーンの前記少なくとも１つのゾーン内の前記少なくとも１つのカラーに関する実際の色値を有する、前記最大ピクセル群区域のデジタル画像を作成するステップと、
（ｋ）前記最大ピクセル群区域の前記デジタル画像を解析して、前記少なくとも１つのカラーに関する前記実際の色値を測定するステップと、
（ｌ）前記実際の色値と前記純色値とを比較して、差を算出し、前記差を前記メモリの中に格納するステップと、
（ｍ）付加的に、前記対応するインクゾーン内の前記基体上のインク量をオプションとして調整して、前記実際の色値と前記純色値との前記差が、（ｇ）で算出された、前記目標色値と前記純色値との前記差と等しいようにするステップと
（ＩＩ）（ｎ）前記１つ以上のカラー画像箇所のデジタル表現をキャプチャすることができる少なくとも１つのイメージングアセンブリを提供するステップと、
（ｏ）前記平面の基体にわたる前記イメージングアセンブリの位置付け、および直線的な動きを制御するステップと、
（ｐ）前記イメージングアセンブリを使用して、前記カラーパッチの１つ以上のパッチの１つ以上のデジタル画像を選択し、獲得して、１つ以上のカラーレイヤの各レイヤに関する実際の色値を有する前記１つ以上のカラーパッチのデジタル画像を作成するステップと、
（ｑ）前記１つ以上のカラーパッチの前記デジタル画像を解析して、前記１つ以上のカラーレイヤに関する前記実際の色値を測定するステップと、
（ｒ）前記実際の色値と前記純色値とを比較して、差を算出し、前記差を前記メモリの中に格納するステップと、及び、
（ｓ）前記対応するインクゾーン内の前記基体上のインク量をオプションとして調整して、前記実際の色値と前記純色値との差が、全く存在しないようにするステップとを備えるカラー制御プロセス。
【請求項４】
１つ以上のカラー画像箇所を測定及び制御するため、前記カラー画像箇所は複数のインクゾーン内において平面の基体上に印刷され、該インクゾーンは該基体の幅にわたって延在し、カラー画像箇所のそれぞれは１色以上のカラーを有し、各カラーは純色値を持つようにされているカラー制御システムであって、
（ａ）複数のインクゾーン内で所定量のインクを用いて平面な基体上に印刷される１つ以上のカラー画像部であって、該基体の幅にわたって延在し、カラー画像箇所の各々が１色以上のカラーを有し、該カラーの各々が純色値を持つカラー画像部と、
（ｂ）各カラーのための純色値情報をデジタル形態で格納するため、及び、前記１つ以上のカラー画像部のピクセル化されたデジタル表現を格納するためのメモリであって、
前記ピクセル化されたデジタル表現は前記インクゾーンの各々に対応した複数のデジタルパスに分割され、該デジタルパスの各々が複数のデジタルゾーンを有し、かつ、前記ピクセル化されたデジタル表現がさらに１つ以上のカラーレイヤに分割され、該カラーレイヤの各々が前記１色以上のカラーの１つに対応し、並びに、前記ピクセル化されたデジタル表現が目標色値を有し、該目標色値が前記基体上でインクゾーンの各々内において各カラーのための１つ以上のカラー画像部を再生するために要求されるインク量に対応しているようにされているメモリと、
（ｃ）デジタルパスの各パス内の前記カラーレイヤの各レイヤを解析して、前記デジタルパスの各パス内の各カラーに関する最大ピクセル群区域であって、位置座標を有し、デジタルパス内の対応するカラーに関する純色値に最も近い目標色値である目標色値を有する、デジタルパスのデジタルゾーン内におけるカラー画像箇所内の位置を備える区域を特定し、最大ピクセル群区域位置座標および該座標の色値が前記メモリの中に格納される第１のアナライザと、
（ｄ）前記最大ピクセル群区域の前記目標色値と、各カラーに関する対応する純色値とを比較して差を算出し、差が前記メモリの中に格納される第１のコンパレータと、
（ｅ）前記１つ以上のカラー画像箇所のデジタル表現をキャプチャすることができる少なくとも１つのイメージングアセンブリと、
（ｆ）前記平面の基体にわたる前記イメージングアセンブリの位置付け及び直線的な動きを制御するためのコントローラと、
（ｇ）前記イメージングアセンブリを使用して、前記インクゾーンの少なくとも１つのゾーン内の前記カラーの少なくとも１つのカラーに関する最大ピクセル群区域位置において、前記基体上の前記１つ以上のカラー画像箇所の１つ以上のデジタル画像を選択し獲得して、前記インクゾーンの前記少なくとも１つのゾーン内の前記少なくとも１つのカラーに関する実際の色値を有する、前記最大ピクセル群区域のデジタル画像を作成するためのセレクタと、
（ｈ）前記最大ピクセル群区域の前記デジタル画像を解析して、前記少なくとも１つのカラーに関する前記実際の色値を測定するための第２のアナライザと、
（ｉ）前記実際の色値と前記純色値とを比較して差を算出し、差が前記メモリの中に格納される第２のコンパレータと、
（ｊ）前記対応するインクゾーン内の前記基体上のインク量をオプションとして調整して、前記実際の色値と前記純色値との前記差が、前記目標色値と前記純色値との前記差と等しくするためのアジャスタと、
を備えるカラー制御システム。